(57)【要約】【課題】棒材間の距離を狭めた状態で保持する操作を一層容易にし、片手で行うことができるような衣服シワ伸ばし具を提供すること。【解決手段】所定の距離に配設された２本の棒材１１，１２と、該棒材間方向に弾力を発揮する部材で形成され、該弾力に基づいて前記棒材１１，１２間の距離Lを狭めることが可能な連結部材１３，１４と、を備えた衣服シワ伸ばし具であって、前記連結部材１３，１４にグリップ部１３５，１４５を設け、該グリップ部１３５，１４５を握ることにより、前記棒材１１，１２間の距離Lを狭めた状態に保持することが可能な衣服シワ伸ばし具を提供する。【選択図】図１
2008029729.tif 000002
【特許請求の範囲】
【請求項１】
所定の距離に配設された２本の棒材と、
該棒材間方向に弾力を発揮する部材で形成され、該弾力に基づいて前記棒材間の距離を狭めることが可能な連結部材と、を備えた衣服シワ伸ばし具であって、
前記連結部材にグリップ部を設け、該グリップ部を握ることにより、前記棒材間の距離を狭めた状態に保持することが可能な衣服シワ伸ばし具。
【請求項２】
前記連結部材が、正面視、屈曲形状を呈する可撓性部材から形成されたことを特徴とする請求項１記載の衣服シワ伸ばし具。
【請求項３】
前記棒材に屈折構造を設け、前記棒材が該屈折構造において折れ曲がるように構成したことを特徴とする請求項１記載の衣服シワ伸ばし具。
【請求項４】
前記棒材間の距離を、該棒材の一端から他端に向かって次第に大きくし、前記棒材が「ハ」の字状をなすように構成したことを特徴とする請求項１記載の衣服シワ伸ばし具。
【請求項５】
両端に鈎手を有したフック部材の一端の鈎手を着脱可能に掛止することにより、該フック部材の他端の鈎手を介して物干し竿等に吊るすことができる構成とした請求項１記載の衣服シワ伸ばし具。
【発明の詳細な説明】
【技術分野】
【０００１】
本発明は、衣服の筒状部位、例えば、パンツ（又はズボン）類の脚部、上着の袖、胴体部等に発生したシワ（皺）を伸ばすことができる器具に関する。
【背景技術】
【０００２】
洗濯されたパンツ類等の衣服は、簡単に洗濯シワ（洗濯によって衣服に発生するシワ）を手で叩いたり、引き伸ばしたり等してから干すと、洗い張り作用（濡れた衣服を張った状態で乾かすとシワが付かなくなる作用）で幾分かシワが少なくなり、乾燥後のアイロン作業が少し軽減されることが知られており、日常的に慣用されている。
【０００３】
しかしながら、特に、綿素材で縫製されたコットンパンツ、シャツ、タイトスカート等は洗濯後にシワになり易く、また、生地も厚いために、洗濯シワを強く手伸ばし等してもさほどシワ取りの効果がないことから、アイロン等の仕上げに手間がかかっていた。
【０００４】
とりわけ、コットンパンツの脚部に形成される洗濯シワは、市販のズボンプレッサーを利用して、プレスしながら乾かしたとしても、折り目を付けることはできるものの、洗濯シワを充分に取り除くことは難しかった。
【０００５】
そこで、本願出願人は、特許文献1において、衣服の筒状部位の内側に挿入され、筒状部位を張った状態にすることによって、筒状部位に生じたシワを引き伸ばすように構成された衣服シワ伸ばし具を開示している。この衣服シワ伸ばし具を用いれば、筒状部位に生じた洗濯シワを、洗い張りの作用を利用して取り除くことができる。ここで、「筒状部位」とは、種々の衣服の筒状をなす形態部位を広く意味し、具体的には、パンツの脚部や腰部、シャツ等の上着の袖部、胴部、タイトスカート等の筒状を呈する部位が含まれる。
【特許文献１】特開2004−97597号公報
【発明の開示】
【発明が解決しようとする課題】
【０００６】
特許文献１に開示した衣服シワ伸ばし具は、特に、所定距離を置いて平行に配設された２本の棒材の距離を、固定具により狭めた状態に保持して衣服の筒状部位に挿入した後、固定具を取り外して連結部材の弾力を開放し、初期状態（棒材間の距離が最大に広がった状態）に復元しようとする前記棒材の引っ張り作用をもって、筒状部位の生地を張った状態にするものである。
【０００７】
すなわち、この衣服シワ伸ばし具では、予め、固定具により棒材間の距離を狭めた状態に一時固定することで、筒状部位への挿入を容易にしていた。
【０００８】
この方法の煩雑であった点をあえて挙げるとすれば、固定具により棒材間の距離を狭めた状態に固定しようとする場合、棒材間の距離を狭める力を連結部材に加えて棒材間の距離を狭めた状態に保持しながら固定具を係止する操作が必要であり、この操作は両手を使って行わなければならなかった。
【０００９】
そこで、本発明は、棒材間の距離を狭めた状態に保持する操作を、一層容易に、片手で行うことができるようにした衣服シワ伸ばし具を提供することを主な目的とする。
【課題を解決するための手段】
【００１０】
上記の課題を解決するために、本発明では、所定の距離に配設された２本の棒材と、
該棒材間方向に弾力を発揮する部材で形成され、該弾力に基づいて前記棒材間の距離を狭めることが可能な連結部材と、を備えた衣服シワ伸ばし具であって、前記連結部材にグリップ部を設け、該グリップ部を握ることにより、前記棒材間の距離を狭めた状態に保持することが可能な衣服シワ伸ばし具を提供する。
【００１１】
連結部材にグリップ部を設け、該グリップ部を握ることにより、前記棒材間の距離を狭めた状態に保持できる構成としたことにより、従来必要であった両手で棒材間の距離を狭める力を連結部材に加えて、棒材間の距離を狭めた状態に保持しながら固定具を係止するという操作を省くことが可能となった。これにより、片手で前記棒材間の距離を狭めた状態に保持する操作を行うことができるようになるので、衣服の筒状部位への挿入をより容易に行うことができる。
【００１２】
連結部材の形状は、棒材間方向に弾力を発揮し、該弾力に基づいて前記棒材間の距離を狭めることが可能な形状であれば、特に限定されないが、例えば、正面視、屈曲形状を呈する可撓性部材から形成することができる。
【００１３】
ここで、「屈曲形状を呈する可撓性部材」とは、外観視略「へ」の字状を呈し、棒材間の距離を狭めようとする力を加えると撓んで、「へ」の字の頂点角がより鋭角に屈曲するように変形していき、前記力を一旦開放すると付勢されながら、最初の屈曲形状に戻ろうとする復元作用を発揮する部材である。この復元作用によって、衣服の筒状部位を扁平に強く引き伸ばすことができるのである。
【００１４】
連結部材の形状を、正面視、屈曲形状を呈する可撓性部材から形成することで、該屈曲形状の屈曲部（「へ」の字の頂点部）にグリップ部を設けることができ、握り易く、操作が容易なグリップ部を構成することが可能である。
【００１５】
さらに、棒材に屈折構造を設け、該棒材が該屈折構造において折れ曲がるように構成してもよい。例えば、ブーツカットのズボンは、腰から膝に向かって徐々に幅が狭く、膝から裾に向かっては逆に幅広く作られているが、棒材に屈折構造を設けたことにより、棒材がブーツカットの形状に合わせて折れ曲るので、一層ズボンの形状に合わせたシワ引き伸ばし効果を得ることができる。
【００１６】
２本の棒材間の距離は、棒材の一端から他端に向かって次第に大きくし、2本の棒材が「ハ」の字状をなすように構成してもよい。例えば、スカートは、腰部から裾に向かって徐々に幅広く作られているが、２本の棒材を「ハ」の字状をなすように構成し、棒材間の距離が小さい側、即ち「ハ」の字の上側にあたる側から、スカートの裾に挿入することで、一層スカートの形状に合わせたシワ引き伸ばし効果を得ることが可能である。
【００１７】
衣服シワ伸ばし具には、取り外し可能なフック部材を設けてもよい。フック部材は、その両端に鈎手を有し、一端においては、連結部材に着脱可能に掛止され、他端においては、物干し竿等に吊るすことができるように形成することができる。
【発明の効果】
【００１８】
本発明に係る衣服シワ伸ばし具を用いることにより、棒材間の距離を狭めた状態で保持する操作を、一層容易に、片手で、行うことができるようになる。したがって、一方の手で衣服を持ち、もう一方の手で衣服シワ伸ばし具を持って作業することが可能となり、衣服シワ伸ばし具の筒状部位への挿入をより効率良く行うことができる。
【発明を実施するための最良の形態】
【００１９】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００２０】
図1は、本発明に係る衣服シワ伸ばし具の第一実施形態を表す正面図であり、（A）は初期状態を、（B）は棒材１１，１２間の距離が狭められた保持状態を、それぞれ示す。
【００２１】
図1中において符号１で示された衣服シワ伸ばし具は、所定の距離に配設された２本の棒材１１，１２と、これらの棒材１１，１２の間に設けられた連結部材１３，１４とを備えている。連結部材１３，１４は、結合部１１３，１２３及び１１４，１２４で、それぞれ棒材１１，１２に連結されている。なお、連結部材の個数は、２つに限定されず、１つ又は３つ以上であってもよい。
【００２２】
棒材１１，１２の長さ、太さ、形状、距離Lは、使用対象となる衣服の種類に合わせて適宜決定することができる。例えば、パンツの脚部のシワ伸ばしを行う場合には、本発明の目的上、同脚部の丈に合った長さとすればよく、太さはφ５〜２０ｍｍ程度、形状は円筒形状、三角柱、四角柱等、棒材１１，１２間の距離Lは前記脚部の幅よりも少し長めの距離を採用することができる。棒材１１，１２の材質は、特に限定するものではなく、ステンレス鋼等の金属や剛性のある合成樹脂等を適宜採用することができる。
【００２３】
図2は、結合部１１３の拡大図であり、（A）は初期状態を、（B）及び（C）は構成態様を示す。（B）は正面図であり、（C）は（B）中、矢印方向からみた上面図である。
【００２４】
以下、図２に基づいて、結合部１１３の詳しい構成について説明する。なお、結合部１２３，１１４，１２４については説明を省略するが、同様の構成となっている。これらの構成は、可動性を有する結合であれば、特に限定されることはなく、図２に示す構成に限定されることはない。
【００２５】
結合部１１３と棒材１１が作る角度αは、図1（A）及び図２（A）の矢印Xの範囲で変化することができ、連結部材１３が矢印Xの範囲で自由に動くことができるように構成されている。
【００２６】
結合部１１３の棒材１１側には制動板１１３ a１が設けられており、図２（A）のように、制動板１１３ a１と、連結部材１３の制動板１１３a１側の面１１３a２が当接すると、制動板１１３ a１が面１１３a２を支持して、角度αが初期状態α１を超えないように工夫されている。これにより、連結部材１３の可動範囲を、矢印Xの範囲に制限することができる。
【００２７】
連結部材１３の可動範囲を、矢印Xの範囲に制限することにより、連結部材１３と棒材１１との位置関係を一定範囲内に維持することができる。また、結合部１２３，１１４，１２４も同様の構成となっているため、連結部材１３，１４及び棒材１１，１２、それぞれが一定の位置関係を維持することとなり、結果として、衣服シワ伸ばし具１全体の形状を一定に保つ効果を得ることができる。
【００２８】
さらに、結合部１１３は、着脱可能な構成であるのがよい。具体的には、図2（B）に示すように、結合部１１３の棒材１１側に突起１１３ｂ１と、棒材１３側に嵌め込み穴１１３ｂ２を設け、突起１１３ｂ１と嵌め込み穴１１３ｂ２を着脱可能に嵌め込む構成とすることが考えられる。この際、突起１１３ｂ１は、図２（C）に示すように、連結部材１３が差し込まれる側を斜めに形成しておくと、嵌め込み穴１１３ｂ２への嵌め込みを容易にすることができる。
【００２９】
連結部材１１３（及び１２３，１１４，１２４）を着脱可能な構成とすることにより、衣服シワ伸ばし具１を、2本の棒材１１，１２と、例えば2つの、連結部材１３，１４からなる組み立て式の器具として販売することが可能となり、販売パッケージの小型化に寄与できる。
【００３０】
次に、図１に基づいて、連結部材１３，１４の構成について説明する。
【００３１】
連結部材１３，１４は、屈曲形状を呈する可撓性部材から形成されており、外観視略「へ」の字状を呈する。連結部材１３（または１４）は、図1の矢印Y方向に、棒材間の距離を狭めようとする外力Gが加えられると、「へ」の字の頂点角βを初期状態β１(（A）参照)から、より鋭角β２（（B）参照）に屈曲させながら撓んで、棒材１１，１２間の距離Ｌを初期状態L１（（A）参照）から、距離Ｌ２（（B）参照）にまで短縮する。これにより、連結部材１３（または１４）は前記外力が開放された時には、初期状態に戻ろうとする復元力P（（B）参照）を、棒材１１，１２に付与することとなる。
【００３２】
次に、衣服シワ伸ばし具１に、棒材１１，１２間の距離を狭めようとする外力Gを加えるための具体的手段について、図３に基づいて説明する。
【００３３】
図3は、連結部材１３の拡大図であり、（A）は初期状態を、（B）はグリップ部１３５を握って保持した状態を、それぞれ示す。（A）は図1（A）に示す衣服シワ伸ばし具１の初期状態に対応し、（B）は図１（B）に示す衣服シワ伸ばし具１の棒材間距離が狭められた保持状態に対応する。
【００３４】
なお、連結部材１４は、グリップ部を設けていない点を除いて、以下に説明する連結部材１３の構成と同様の構成となっている。
【００３５】
図３（A）に示すように、連結部材１３は、左右の２つの部品１３１，１３２が、屈曲点１３３（「へ」の字の頂点部）で連結されており、屈曲点１３３にはバネ１３４が設けられている。バネ１３４は、矢印P方向、即ち、部品１３１，１３２の頂点角βが鈍角に開く方向に弾力を発揮するよう配設されている。
【００３６】
部品１３１，１３２の屈曲点１３３外側（「へ」の字の頂点方向側）には、制動板１３１a１，１３２a１が設けられており、頂点角βが初期状態β１を超えて開かないように工夫されている。すなわち、バネ１３４の弾力によって頂点角βがβ１を超えて開こうとする場合、制動板１３１a１，１３２a１が、図３（A）のように、互いに向き合う面１３１a２，１３２a２において当接し反発力を及ぼし合うことにより、頂点角βがβ１に維持されるように構成されている。
【００３７】
部品１３１と１３２の、屈曲点１３３付近（屈曲部）には、滑り止め構造１３１b，１３２bをそれぞれ設け、グリップ部１３５として構成されている。滑り止め構造１３１b，１３２bにおいては、部品１３１，１３２の表面に凹凸を設けて、手で握った場合に滑り難いように工夫されている。また、グリップ部１３５の大きさ及び形状は、片手の親指を滑り止め構造１３２ｂ（または１３１ｂ）に、他の４指を滑り止め構造１３１ｂ（１３２ｂ）にかけて握ることができる大きさとし、手のひらにすっぽり収まるような山型とし、握り易い構成となるよう工夫されている。
【００３８】
図３（B）に示すように、グリップ部１３５を握って、バネ１３４の弾力に基づいて矢印Y方向に力を加えると、連結部材１３は、頂点角βを初期状態β１（（A）参照）から、より鋭角β２に屈曲させながら撓んで、復元力Pを蓄積する。同時に、棒材１１，１２間の距離Lは、図1（A）及び（B）に示すように、L１からL２にまで短縮されることとなり、グリップ部１３５を握る力を開放すると、復元力Pにより棒材１１，１２が押し開かれる。
【００３９】
ここで、連結部材１３は、復元力Pを発揮することができる可撓性部材であれば、上記のバネ１３４を用いる構成に限定されず、適宜採用することが可能である。例えば、図４に示すような、外観視略「ヘ」の字状を呈し、屈曲点においてループ部位１３４’を備える構成を採用することが考えられる。なお、ループの巻き回数は、復元力Pの強さを考慮し、適宜決定することができる。
【００４０】
図５（A）は、本発明に係る衣服シワ伸ばし具の第二実施形態の初期状態を表す正面図であり、（B）は、その変形形態の初期状態を表す正面図である。
【００４１】
図５（A）中において符号２で示された衣服シワ伸ばし具２は、衣服シワ伸ばし具１（図１参照）と異なり、２つの連結部材２３，２４の両方にグリップ部２３５，２４５を設けて、連結部材２３，２４が全く同様の構成とされている。
【００４２】
また、図５（B）中において符号２’で示された衣服シワ伸ばし具２’のように、連結部材２３，２４を対向する向きではなく、同じ向きに設けることも可能である。この場合、連結部材２４を連結部材２３と同じ向きに配したことに伴って、結合部２１４，２２４の制動板２１４a１、２２４a１が、結合部２１３，２２３の制動板２１３a１、２２３a１と同じ向き（連結部材２４、２３の下側）に配されている。したがって、２１３、２２３及び２１４、２２４は、連結部材２３、２４が矢印X’の範囲で自由に動くことができる構成となっている。
【００４３】
なお、衣服シワ伸ばし具２，２’において、連結部材の個数は、２つに限定されず、１つ又は３つ以上であってもよいのは、衣服シワ伸ばし具１に同じである。
【００４４】
次に、棒材１１、１２に設けることができる屈折構造１１５、１２５について、図１及び図６に基づいて説明する。なお、連結部材の個数を３つ以上とする場合には、屈折構造も３つ以上設けることができる。
【００４５】
図６は、屈折構造１１５の拡大図であり、（A）は初期状態を、（B）及び（C）は構成態様を示す。（B）は正面図であり、（C）は（B）中、矢印方向からみた側面図である。屈折構造１１５，１２５は同様の構成であるので、以下、屈折構造１１５を代表例として説明する。これらの構成は、可動性を有する構成であれば、特に限定されることはなく、図６に示す構成に限定されるものではない。
【００４６】
図1及び図６に示すように、棒材１１は、上下の部品１１１と１１２が屈折構造１１５で連結され、矢印Y方向に折れ曲がることができるように構成されている。
【００４７】
図７は、本発明に係る衣服シワ伸ばし具の衣服への装着状態の一例を示す図である。
【００４８】
図７中において、符号４で示されたズボン４は、腰から膝に向かって徐々に幅が狭く、膝から裾に向かっては逆に幅広く作られ、いわゆるブーツカットの形状となっている。屈折構造１１５，１２５を設けたことにより、棒材１１及び１２がブーツカットの形状に合わせて折れ曲るので、一層ズボン４の形状に合わせたシワ引き伸ばし効果を得ることができる。
【００４９】
また、屈折構造１１５は、着脱可能な構成であるのがよい。具体的には、図６（B）に示すように、屈折構造１１５の部品１１２側に突起１１５ｂ１と、部品１１１側に嵌め込み穴１１５ｂ２を設け、突起１１５ｂ１と嵌め込み穴１１５ｂ２を着脱可能に嵌め込む構成とすることが考えられる。この際、突起１１５ｂ１は、図６（C）に示すように、部品１１１が差し込まれる側を斜めに形成しておくと、嵌め込み穴１１５ｂ２への嵌め込みを容易にすることができる。
【００５０】
屈折構造１１５，１２５を着脱可能な構成とすることにより、衣服シワ伸ばし具１の棒材１１，１２を、半分の長さの部品１１１，１１２，１２１，１２２からなる組み立て式の部材として販売することが可能となり、販売パッケージの小型化に寄与できる。
【００５１】
図８は、本発明に係る衣服シワ伸ばし具の第三実施形態の初期状態を表す正面図である。
【００５２】
符号３で示される衣服シワ伸ばし具は、連結部材３３の幅W３を連結部材３４の幅W４に比してやや狭く形成することにより、棒材３１，３２間の距離Lが、上端から下端に向かって次第に大きくなり、棒材３１，３２が「ハ」の字状をなすように構成されている。したがって、例えば、スカートのように徐々に幅が広く作られているような衣服の筒状部位には、衣服シワ伸ばし具３を、スカートの裾側から、矢印S方向に挿入することで、スカートの形状に合わせたシワ引き伸ばし効果を得ることができる。なお、連結部材３３の幅W３と連結部材３４の幅W４の比率は、衣服の筒状部位の形状に合わせて、適宜調整することができる。
【００５３】
なお、衣服シワ伸ばし具３についても、連結部材３３，３４の両方にグリップ部を設けたり（図５（A）参照）、図７に示すような対向する向きではなく同じ向きに設ける（図５（B）参照）ことは自由である。また、連結部材の個数も、２つに限定されず、１つ又は３つ以上であってよいことも同様である。
【００５４】
図９は、本発明に係る衣服シワ伸ばし具１に取り付けることができるフック部材と、その取り付け方法を示す図である。
【００５５】
図９中において符号Fで示されたフック部材の両端には、鈎手F1、F2が形成されている。鈎手F１の鈎状部分の幅ｄ１は、連結部材１３（または１４）の幅ｄ１３と等しく形成されており、また、鈎手F２の鈎状部分の幅ｄ２は一般的な物干し竿等に吊るすことができるような幅となっている。
【００５６】
フック部材Fは、連結部材１３（または１４）の屈曲点１３３（または１４３）に取り付けることが可能である。ここで、屈曲点１３３は、グリップ部１３５の一部となっているため、グリップ部１３５を握って保持する際に邪魔にならないよう、フック部材Fは着脱可能な構成とすることが望ましい。
【００５７】
次に、上記第二実施形態に係る衣服シワ伸ばし具２（図５（A）参照）を例として、本発明に係る衣服シワ伸ばし具の使用方法の一例を、図１０に基づいて具体的に説明する。
【００５８】
まず、図１０（A）のように洗い上がりのズボン４の筒状に形成された脚部４１の裾開口部４２から腕を挿入し、衣服シワ伸ばし具２を、腰部４３側から連結部材２３を掴んで脚部４１へ引き寄せた上で、グリップ部２３５を握って（図３参照）棒材２１，２２間を狭めた状態に保持する。次いで、図１０（A）中の矢印Sの方向に、衣服シワ伸ばし具２を脚部４１内へ引き込むと、衣服シワ伸ばし具２は、脚部４１の幅に合わせて連結部材２４を撓めながら、連結部２４の復元力Pが付与された棒材２１，２２でもって脚部４１をまっすぐに引き伸ばす（図１０（B）参照）。
【００５９】
衣服シワ伸ばし具２全体が、脚部４１に収まったところで、グリップ部２３５の保持を解除して、連結部材２３の復元力Pを開放すれば、脚部４１全体が外側に扁平に引き伸ばされ、生地が張った状態となる。以上の操作を、対側の脚部４１についても繰り返し、フック部材Fを取り付けて、物干し竿５に吊るした状態を図１０（C）に示す。
【００６０】
なお、衣服シワ伸ばし具２を脚部４１に装着する方法は上記に限定されるものではなく、使用者各人が適宜装着し易い方法により脚部４１へ挿入することができる。例えば、図１１に示すように、衣服シワ伸ばし具２をズボン４の裾開口部４２から矢印S方向に脚部４１へ挿入することも当然に可能である。
【産業上の利用可能性】
【００６１】
本発明に係るシワ伸ばし具は、特に洗濯後の衣服に生じた洗いシワを伸ばすために有用であるほか、日常の着衣によって衣服に生じたシワを伸ばすためにも使用することができる。また、乾燥させた後のパンツ等の衣服をクローゼット等に吊し、そのまま収納しておくためのハンガーとしても利用することができる。さらに、百貨店や衣料品点等の衣服売場において、パンツ等の衣服商品を、生地を張った状態でディスプレーするための器具としても活用することができる。
【図面の簡単な説明】
【００６２】
【図１】本発明に係る衣服シワ伸ばし具の第一実施形態を表す正面図である。（A）は初期状態を、（B）は棒材１１、１２間の距離Lが狭められた保持状態を示す。
【図２】結合部１１３の拡大図である。（A）は初期状態を、（B）及び（C）は構成態様を示す。（B）は正面図であり、（C）は（B）中、矢印方向からみた上面図である。
【図３】連結部材１３の拡大図である。（A）は初期状態を、（B）はグリップ部１３５を握って保持した保持状態を示す。
【図４】連結部材の変形形態を示す拡大図である。
【図５】本発明に係る衣服シワ伸ばし具の第二実施形態の初期状態を表す正面図（A）と、その変形形態の初期状態を表す正面図（B）である。
【図６】屈折構造１１５の拡大図である。（A）は初期状態を、（B）及び（C）は構成態様を示す。（B）は正面図であり、（C）は（B）中、矢印方向からみた側面図である。
【図７】本発明に係る衣服シワ伸ばし具の衣服への装着状態の一例を示す図である。
【図８】本発明に係る衣服シワ伸ばし具の第三実施形態の初期状態を表す正面図である。
【図９】本発明に係る衣服シワ伸ばし具に取り付けることができるフック部材と、その取り付け方法を示す斜視図である。
【図１０】衣服シワ伸ばし具２をパンツ４の脚部４１への挿入する方法の一例を表す図である。
【図１１】衣服シワ伸ばし具２をパンツ４の脚部４１への挿入する方法の他の一例を表す図である。
【符号の説明】
【００６３】
１、２、３  本発明の第一実施形態である衣服シワ伸ばし具
４  パンツ
５  物干し竿
１１、１２、２１，２２、３１、３２  棒材
１３、１４、２３、２４、３３、３４  連結部材
１３５、１４５、２３５、２４５  グリップ部
１１５、１２５  屈折構造
F  フック部材
F１、F２  鈎手
【図１】
2008029729.tif 000003
【図２】
2008029729.tif 000004
【図３】
2008029729.tif 000005
【図４】
2008029729.tif 000006
【図５】
2008029729.tif 000007
【図６】
2008029729.tif 000008
【図７】
2008029729.tif 000009
【図８】
2008029729.tif 000010
【図９】
2008029729.tif 000011
【図１０】
2008029729.tif 000012
【図１１】
2008029729.tif 000013
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
所定の距離に配設された２本の棒材と、
正面視屈折形状を呈し、前記棒材間方向に弾力を発揮する可撓性部材から形成された連結部材と、を備えた衣服シワ伸ばし具において、
前記連結部材の屈曲部をグリップ部として構成し、
該グリップ部を握ることにより、前記弾力に基づいて前記棒材間の距離を狭めた状態に保持することが可能な衣服シワ伸ばし具。
【請求項２】
前記棒材に屈折構造を設け、
衣服の筒状部位に挿入された状態おいて、前記棒材が該筒状部位の形状に即して折れ曲がるように構成したことを特徴とする請求項１記載の衣服シワ伸ばし具。
【請求項３】
前記棒材と連結部材の結合部に、
該棒材に対する該連結部材の可動範囲を一定範囲内に制限する制動板を設けたことを特徴とする請求項１記載の衣服シワ伸ばし具。
【請求項４】
前記棒材と前記連結部材は、前記結合部において着脱可能な構成とされていることを特徴とする請求項１記載の衣服シワ伸ばし具。
【手続補正２】
【補正対象書類名】明細書
【補正対象項目名】００１０
【補正方法】変更
【補正の内容】
【００１０】
上記の課題を解決するために、本発明では、所定の距離に配設された２本の棒材と、該棒材間方向に弾力を発揮する部材で形成され、該弾力に基づいて前記棒材間の距離を狭めることが可能な連結部材と、を備えた衣服シワ伸ばし具であって、前記連結部材の屈曲部をグリップ部として、該グリップ部を握ることにより、前記棒材間の距離を狭めた状態に保持することが可能な衣服シワ伸ばし具を提供する。
【手続補正３】
【補正対象書類名】明細書
【補正対象項目名】００１２
【補正方法】変更
【補正の内容】
【００１２】
連結部材の形状は、棒材間方向に弾力を発揮し、該弾力に基づいて前記棒材間の距離を狭めることが可能な形状で、正面視、屈曲形状を呈する可撓性部材から形成することができる。